(57)【要約】【課題】冷却装置が噴霧ノズルから噴出した霧が外風で流されることを抑止すること。【解決手段】冷却装置１が、通気管１２と、通気管１２から流出した気流が衝突する位置に設けられている衝突部材２５と、衝突部材２５の外周に筒状に設けられた第１の側面部２２と、通気管１２の軸方向において第１の側面部２２の位置を調整する第１の調整機構と、気流によって運ばれる霧を噴出する噴霧ノズル４０とを備え、衝突部材２５に衝突して方向が変化した気流が第１の側面部２２よりも通気管１２側にある開口１００から外部に吹き出されることにより、噴霧ノズル４０から噴出した霧が外風で流されることを抑止する。【選択図】図１
2018134617.tif 000002
【特許請求の範囲】
【請求項１】
通気管と、
前記通気管から流出した気流が衝突する位置に設けられている衝突部材と、
前記衝突部材の外周に筒状に設けられた第１の側面部と、
前記通気管の軸方向において前記第１の側面部の位置を調整する第１の調整機構と、
前記気流によって運ばれる霧を噴出する噴霧ノズルと、
を備え、
前記衝突部材に衝突して方向が変化した気流が前記第１の側面部よりも前記通気管側にある開口から外部に吹き出されることを特徴とする、
冷却装置。
【請求項２】
前記第１の調整機構は、前記第１の側面部の、前記衝突部材の外周から前記通気管の方向へ延びる部分の長さを調整する、
請求項１に記載の冷却装置。
【請求項３】
前記通気管の外周に筒状に設けられた第２の側面部と、
前記通気管の軸方向において前記第２の側面部の位置を調整する第２の調整機構と、
を備え、
前記開口は、前記第１の側面部と前記第２の側面部との間の隙間で構成されることを特徴とする、
請求項１または２に記載の冷却装置。
【請求項４】
前記開口を覆うメッシュ部材をさらに備えた、
請求項１から３の何れか１項に記載の冷却装置。
【発明の詳細な説明】
【技術分野】
【０００１】
本発明は、霧を屋外空間に噴き出して屋外空間を冷却する冷却装置に関する。
【背景技術】
【０００２】
夏場の気温が高いとき、路面からの照り返しによって路面付近の温度が非常に高くなることがある。この場合、通行者の体感温度が上昇し、通行者の不快感が増大する。
【０００３】
このような不快感を軽減するため、特許文献１には、霧を歩道などの通路に向けて水平方向に噴き出し、通行者の不快感を軽減する技術が開示されている。
【先行技術文献】
【特許文献】
【０００４】
【特許文献１】特開平６−１７０２９４号公報
【発明の概要】
【発明が解決しようとする課題】
【０００５】
しかしながら、特許文献１に記載の従来技術では、単に霧を通路に水平方向に噴き出すだけであるので、冷却する屋外空間の範囲を効果的に制御することが難しい。その結果、通行者の不快感を十分に軽減することができなくなる。
【０００６】
本発明は、前記従来の課題を解決するもので、乾球温度を低下させて通行者の不快感を軽減する冷却装置を提供することを目的とする。
【課題を解決するための手段】
【０００７】
上記従来の課題を解決するために、本発明の冷却装置は、通気管と、前記通気管から流出した気流が衝突する位置に設けられている衝突部材と、前記衝突部材の外周に筒状に設けられた第１の側面部と、前記通気管の軸方向において前記第１の側面部の位置を調整する第１の調整機構と、前記気流によって運ばれる霧を噴出する噴霧ノズルと、を備え、前記衝突部材に衝突して方向が変化した気流が前記第１の側面部よりも前記通気管側にある開口から外部に吹き出されるとしたものである。
【０００８】
これによって、噴霧ノズルから噴出された霧が外風で流されにくくするように、第１の調整機構で気流を適切に調整することができるので、乾球温度を低下させることができる。
【発明の効果】
【０００９】
本発明の冷却装置は、乾球温度を低下させて通行者の不快感を軽減することができる。
【図面の簡単な説明】
【００１０】
【図１】本発明の実施の形態に係る冷却装置の構成例を示す図
【図２】本発明の実施の形態に係る冷却装置における、第１の調整機構及び第２の調整機構を説明する図
【図３】本発明の実施の形態に係る冷却装置における気流を説明する図
【発明を実施するための形態】
【００１１】
第１の発明に係る冷却装置は、通気管と、前記通気管から流出した気流が衝突する位置に設けられている衝突部材と、前記衝突部材の外周に筒状に設けられた第１の側面部と、前記通気管の軸方向において前記第１の側面部の位置を調整する第１の調整機構と、前記気流によって運ばれる霧を噴出する噴霧ノズルとを備え、前記衝突部材に衝突して方向が変化した気流は前記第１の側面部よりも前記通気管側にある開口から外部に吹き出される。
【００１２】
第１の発明によれば、噴霧ノズルから噴出された霧が外風で流されにくくするように、第１の調整機構の調整によって気流を適切に調整することができるので、冷却装置を設置した空間の乾球温度を低下させることができる。
【００１３】
第２の発明は、特に、第１の発明の第１の調整機構を、前記第１の側面部の、前記衝突部材の外周から前記通気管の方向へ延びる部分の長さを調整可能とした。
【００１４】
第２の発明によれば、第１の調整機構の調整によって気流の風向及び風量を適切に調整することができる。
【００１５】
第３の発明は、第１又は第２の発明に係る冷却装置に、前記通気管の外周に筒状に設けられた第２の側面部と、前記通気管の軸方向において前記第２の側面部の位置を調整する第２の調整機構とをさらに備え、前記開口が前記第１の側面部と前記第２の側面部との間の隙間で構成される。
【００１６】
第３の発明によれば、第２の調整機構の調整によって気流の風量を適切に調整することができる。
【００１７】
第４の発明は、特に、第１又は第２の発明に係る冷却装置に、前記開口を覆うメッシュ部材をさらに備えた。
【００１８】
第４の発明によれば、開口から虫やゴミなどが侵入することを防止することができる。
【００１９】
以下、本発明の実施の形態について、図面を参照しながら説明する。なお、本実施の形態によって本発明が限定されるものではない。
【００２０】
［冷却装置の構成］
図１は、本実施の形態に係る冷却装置１の構成例を示す図である。
【００２１】
図１において、冷却装置１は、通気管１２と、第２の側面部１６と、衝突部材２５と、天板２４と、第１の側面部２２と、噴霧ノズル４０と、メッシュ部材３０とを備える。
【００２２】
通気管１２には、気流が供給される供給口１０２と、その供給口１０２から供給された気流を上方に噴き出す通気口１０４と、が形成されている。
【００２３】
通気管１２は、円筒形である。ただし、通気管１２は、楕円形や多角形など他の形状であってもよく、必ずしも円形に限定されるものではない。
【００２４】
通気口１０４は、円形である。ただし、通気口１０４は、楕円形や多角形など他の形状であってもよく、必ずしも円形に限定されるものではない。
次に、第１の側面部２２及び第２の側面部１６とそれらの調整機構について説明する。
【００２５】
図２に、第１の調整機構及び第２の調整機構を説明する図を示す。
【００２６】
衝突部材２５は、通気口１０４と対向するように、通気口１０４の上方に設けられている。衝突部材２５は、通気管１２から上方に延出する支持部材６０によって支持されている。なお、複数の支持部材６０が、通気口１０４を形成する通気管１２の周から延出して、衝突部材２５を支持してもよい。又は、通気管１２の内周において接合された１本の支持部材６０が、通気口１０４の中心から延出して、衝突部材２５を支持してもよい。
【００２７】
第１の側面部２２は、衝突部材２５の外周部分と接合し、通気管１２の軸方向（図面の上下方向）に延出している。第１の側面部２２には、図２に示すように、上下方向に延びる長穴２１０が形成されており、ねじ２１２をその長穴２１０に挿入して衝突部材２５の外周部分にねじ止めすることにより、第１の側面部２２を衝突部材２５に固定する。長穴２１０に対するねじ止めの位置を調整することにより、第１の側面部２２の位置を上下方向に調整することができる。
【００２８】
この調整機構を第１の調整機構と呼ぶ。すなわち、第１の調整機構を調整することにより、第１の側面部２２の、衝突部材２５の外周から通気管１２の方向へ延びる部分の長さを調整することができる。
【００２９】
なお、第１の側面部２２は、衝突部材２５よりも上方に位置する天板２４の外周とも接合されている。
【００３０】
第２の側面部１６は、通気口１０４を形成する通気管１２の外周部分と接合し、通気管１２の軸方向（図面の上下方向）に延出している。第２の側面部１６には、図２に示すように、上下方向に延びる長穴２００が形成されており、ねじ２０２をその長穴２００に挿入して通気管１２の外周部分にねじ止めすることにより、第２の側面部１６を通気管１２に固定する。長穴２００に対するねじ止めの位置を調整することにより、第２の側面部１６の位置を上下方向に調整することができる。
【００３１】
この調整機構を第２の調整機構と呼ぶ。すなわち、第２の調整機構を調整することにより、第２の側面部１６の、通気口１０４を形成する通気管１２の外周から第１の側面部２２の方向へ延びる部分の長さを調整することができる。
【００３２】
また、第１の側面部２２と第２の側面部１６との間に形成される隙間を開口１００と呼ぶ。したがって、第１の調整機構及び第２の調整機構の少なくとも１つを調整することにより、開口１００の面積を調整することができる。
【００３３】
なお、支持部材６０に対する衝突部材２５の接合位置を調整可能としてもよい。当該調整によって、衝突部材２５の面と通気口１０４の面との間の距離を調整することができる。
【００３４】
噴霧ノズル４０は、通気口１０４よりも下方の通気管１２の外面に設けられており、霧を噴出する。
【００３５】
メッシュ部材３０は、開口１００の面積をどのように調整しても隙間全体が覆われる大きさであり、第２の側面部１６又は第１の側面部２２の何れか一方に接合されている。メッシュ部材３０は、虫やゴミなどが通気管１２内に侵入することを防止する。メッシュ部材３０を第１の側面部２２又は第２の側面部１６の何れか一方に接合することにより、冷却装置１の設置現場でメッシュ部材３０を別途着脱させたりすることなく、第１の調整機構及び第２の調整機構の少なくとも一方を調整することができる。
【００３６】
［動作］
以上のように構成された冷却装置１について、以下、その動作及び作用を、図１〜図３を参照しながら説明する。
【００３７】
図３は、本実施の形態に係る冷却装置１における気流を説明する図である。なお、図３では、支持部材６０及びメッシュ部材３０を省略している。
【００３８】
通気管１２の通気口１０４から噴出した気流３００は、衝突部材２５の主面に衝突し、方向を変えられ、第１の側面部２２と第２の側面部１６との間に形成される開口１００から外部へ噴き出す。
【００３９】
ここで、第１の調整機構で第１の側面部２２の位置を上下方向に調整することにより、衝突部材２５の主面から下方に延びる第１の側面部２２の部分の長さＨ２と、開口１００の面積Ｄとを調整することができる。
【００４０】
この長さＨ２と開口の面積Ｄとを調整することにより、開口１００から噴出する気流の風量及び風向を調整することができる。また、冷却装置１の設置現場で簡単に風量及び風向を調整することができる。
【００４１】
また、第２の調整機構で第２の側面部１６の位置を上下方向に調整することにより、通気口１０４を形成する通気管１２の外周から上方へ延びる第２の側面部１６の部分の長さＨ１と、開口１００の面積Ｄとを調整することができる。
【００４２】
この長さＨ１と開口の面積Ｄとを調整することにより、開口１００から噴出する気流の風量を調整することができる。
【００４３】
上述で調整された風量及び風向の気流はエアドームを形成し、そのエアドームが、噴霧ノズル４０から噴出された霧が外風で流されることを抑止する。これにより、冷却装置１の付近に霧が留まり、その霧が効果的に気化熱を吸収し、乾球温度が低下する。
【００４４】
上記実施の形態は、何れも本発明を実施するにあたっての具体化の一例を示したものに過ぎず、これらによって本発明の技術的範囲が限定的に解釈されてはならないものである。すなわち、本発明はその要旨、またはその主要な特徴から逸脱することなく、様々な形で実施することができる。
【産業上の利用可能性】
【００４５】
本発明は、ミストを屋外空間に噴き出して屋外空間を冷却する冷却装置に用いるのに好適である。
【符号の説明】
【００４６】
１  冷却装置
１２  通気管
１６  第２の側面部
２２  第１の側面部
２４  天板
２５  衝突部材
３０  メッシュ部材
４０  噴霧ノズル
１００  開口
【図１】
2018134617.tif 000003
【図２】
2018134617.tif 000004
【図３】
2018134617.tif 000005